(57)【要約】      （修正有）【課題】使用者へ高温の排気による不快感を低減する撮像装置を提供する。【解決手段】本体外部から空気を取り入れるための吸気口と、本体外部へ空気を吐き出すための排気口と、排気口から排気するための送風部と、本体内部の温度を検出する温度検出部を備え、本体内部が高温で壊れないように設定された第一の閾値と、排気温度が不快に感じない温度になるように設定された第二の閾値を設定し、送風部が停止している時Ｓ４０２ＹＥＳに、温度検出部で検出された温度が第一の閾値より高い時Ｓ４０４ＹＥＳに送風部を間欠動作Ｓ４０５させ、送風部が間欠動作している時に、温度検出部で検出された温度が第二の閾値より低い時Ｓ４０７ＹＥＳに送風部を連続動作Ｓ４０８させる。【選択図】図４
2017126924.tif 000002
【特許請求の範囲】
【請求項１】
本体外部から空気を取り入れるための吸気口と、本体外部へ空気を吐き出すための排気口と、前記排気口から排気するための送風部と、本体内部の温度を検出する温度検出部を備え、本体内部が高温で壊れないように設定された第一の閾値と、排気温度が不快に感じない温度になるように設定された第二の閾値を有し、前記送風部が停止している時に、前記温度検出部で検出された温度が第一の閾値より高い時に送風部を間欠動作させ、前記送風部が間欠動作している時に、前記温度検出部で検出された温度が第二の閾値より低い時に前記送風部を連続動作させる送風制御手段を有することを特徴とする撮像装置。
【請求項２】
複数の送風部を備え、前記間欠動作時に前記複数の送風部が同時に送風しないことを特徴とする請求項１に記載の撮像装置。
【発明の詳細な説明】
【技術分野】
【０００１】
本発明は、ファンを備える撮像装置に関する。
【背景技術】
【０００２】
近年、撮像装置の小型化と消費電力の増加に伴い、撮像装置はファンを用いて撮像装置内部の冷却を行っている。また、撮像装置は、録画中の音声を記録する。この時に、ファンが回転しているとファンの音が入ってしまい、録音対象ではないファンの音が記録されてしまう。
【０００３】
この課題を解決するために、ファンを停止又は低回転にする等の対策があり、従来の撮像装置ではファンを止めるモードを設け、撮像装置本体が高温により破壊する前にファンを回転させる制御が提案されている（特許文献１参照）。
【先行技術文献】
【特許文献】
【０００４】
【特許文献１】特開２０１１−６１５４６号公報
【発明の概要】
【発明が解決しようとする課題】
【０００５】
しかしながら、上記の特許文献１では、ファンを停止している時に撮像装置内の温度が高くなっている。撮像装置を冷却するためにファンの回転を開始させると撮像装置内の高温の空気が排気されるため、使用者に高温の空気がかかり不快感を与える。
【０００６】
使用者の不快感を低減するために、ファンでの排気量を減らすことが有効であるため、電圧駆動のファンにおいては、駆動できる最低の電圧、ＰＷＭ制御のファンにおいては、駆動できる最低のＤｕｔｙ値、での排気が行われているが、より風量を下げたいという要求があった。
【課題を解決するための手段】
【０００７】
上記の課題を解決するために、本発明に係る請求項１の撮像装置は、
本体外部から空気を取り入れるための吸気口と、本体外部へ空気を吐き出すための排気口と、前記排気口から排気するための送風部と、本体内部の温度を検出する温度検出部を備え、本体内部が高温で壊れないように設定された第一の閾値と、排気温度が不快に感じない温度になるように設定された第二の閾値を有し、前記送風部が停止している時に、前記温度検出部で検出された温度が第一の閾値より高い時に送風部を間欠動作させ、前記送風部が間欠動作している時に、前記温度検出部で検出された温度が第二の閾値より低い時に前記送風部を連続動作させる送風制御手段を有することを特徴とする。
本発明に係る請求項２の撮像装置は、
複数の送風部を備え、前記間欠動作時に前記複数の送風部が同時に送風しないことを特徴とする請求項１に記載の撮像装置である。
【発明の効果】
【０００８】
本発明に係る撮像装置によれば、ファン停止状態からファンを回転開始する時の高温の排気量を減らすことが可能となり、使用者へ高温の排気による不快感を低減することが可能となる。
【図面の簡単な説明】
【０００９】
【図１】本実施形態による撮像装置の構成例を示すブロック図である。
【図２】本実施形態による撮像装置の外観斜視図である。
【図３】本実施形態による撮像装置のＺ方向から見た内部構造模式図である。
【図４】本実施形態の撮像装置による送風制御処理を示すフローチャートである。
【発明を実施するための形態】
【００１０】
以下、本発明を実施するための形態を図面に基づいて説明する。
【００１１】
図１は本実施形態による撮像装置本体１００の構成例を示すブロック図である。図２は本実施形態による撮像装置の外観斜視図である。図３は本実施形態による撮像装置のＺ方向から見た内部構造模式図である。
【００１２】
図１乃至図３において、撮像部１０１は撮影レンズ３００、光学像を電気信号に変換するＣＣＤやＣＭＯＳ素子等と、アナログ信号をデジタル信号に変換するＡ／Ｄ変換器で構成される撮像素子３０１により、被写体画像をデジタル信号に変換し、撮影画像データを出力する。
【００１３】
音声入力部１１０は音声を電気信号に変換するマイク等で構成され、音声データを出力する。
【００１４】
ＲＯＭ１０３は、電気的に消去・記録可能なメモリであり、例えばＥＥＰＲＯＭ等が用いられる。ＲＯＭ１０３には、ＣＰＵ１０２の動作用の定数、プログラム等が記憶される。ここでいう、プログラムとは、本実施形態にて後述する各種フローチャートを実行するためのプログラムのことである。ＣＰＵ１０２は、撮像装置本体１００全体を制御する。前述したＲＯＭ１０３に記録されたプログラムを実行することで、後述する本実施形態の各処理を実現する。
【００１５】
ＲＡＭ１０４はシステムメモリ、ワークメモリ、画像メモリ、音声メモリであり、ＲＡＭ等が用いられる。ＲＡＭ１０４には、ＣＰＵ１０２の動作用の定数、変数、ＲＯＭ１０３から読み出したプログラム等を展開する。
【００１６】
温度検知部１０５は、前記ＣＰＵ１０２、ＲＯＭ１０３、ＲＡＭ１０４が配置された基板３０３近傍に配置され、前記基板３０３の温度データを出力する基板の温度検知部３０４、撮像素子３０１近傍に配置され、前記撮像素子３０１の温度データを出力する撮像素子の温度検知部３０２で構成されている。各温度検知部にはサーミスタ等を用いる。
【００１７】
表示部１０６は、ＣＰＵ１０２がＲＡＭ１０４に送信させる画像データにより、画像を表示する。表示部１０６には液晶パネル、有機ＥＬ等を用いる。
【００１８】
記録部１０７はＣＰＵ１０２がＲＡＭ１０４に送信させる画像データと音声データを記録する。記録部１０７は画像データと音声データを記録するためのメモリカード等の記録媒体であり、半導体メモリや磁気ディスク、磁気テープ等から構成される。
【００１９】
操作部１０８は、撮像装置本体１００に設けられるシャッター釦２０１、電源釦２００、表示部１０６と重ねて設けられるタッチパネル２０２等により構成される操作に関わる部分を示す。  電源釦２００は撮像装置本体１００の電源ＯＮ、ＯＦＦを行う。シャッター釦２０１は、操作することにより、撮影される画像データと音声データが記録部１０７に保存される。
【００２０】
タッチパネル２０２は、重ねて設けらた表示部１０６に表示される種々のアイコンを選択操作することで、各種機能釦として作用する。機能釦としては、例えば撮影モード切り替え釦、ズーム釦、メニュー釦、等がある。例えば、ズーム釦が押されるとズーム機能が開始され撮影シーンに適した画角にできる。利用者は、表示部１０６に表示された釦を重ねて配置されたタッチパネル２０２により操作することで、直感的に各種設定を行うことができる。
【００２１】
ファン１０９は、撮像装置本体１００に外部の空気を取り入れるための吸気口２０３、撮像装置本体１００から外部へ空気を排出するための排気口２０４、前記吸気口２０３と前記排気口２０４の通風経路となるダクト３０５に風を通す。
【００２２】
ＣＰＵ１０２は、ファン１０９を駆動するモーターの制御を前記モーターへの入力電圧値、またはＰＷＭ制御と呼ばれる入力電圧を矩形波にすることにより回転数を制御することで送風を調節する送風制御手段を持つ。
【００２３】
その他、撮像装置に使われる構成として、撮像装置本体を駆動するための電源部、映像・音声信号の入出力のための端子部、被写体を照らすためのストロボ・ライト部、等あるが、撮像装置として周知の事実を用いるため、ここでは図示、及び詳細な説明を省く。
【００２４】
図４は本実施系における第一の送風制御処理のフローチャートである。このフローチャートにおける各処理は、ＣＰＵ１０２がＲＯＭ１０３に格納されたプログラムをＲＡＭ１０４に展開して実行することにより実現される。
【００２５】
図４において、ステップＳ４０１は、ＣＰＵ１０２が電源釦２００により電源ＯＮの命令があるか判断を行う。ＣＰＵ１０２は前記電源釦２００より電源ＯＮの命令がないと判断した場合、ステップＳ４０１に戻る。ＣＰＵ１０２は前記電源釦２００により電源ＯＮの命令があったと判断した場合、ステップＳ４０２へ進む。
【００２６】
ステップＳ４０２は、ＣＰＵ１０２が送風制御手段にてファンが停止しているか判断を行う。ＣＰＵ１０２はファンが停止していないと判断した場合、ステップＳ４０２に戻る。ＣＰＵ１０２はファンが停止していると判断した場合、ステップＳ４０３へ進む。
【００２７】
ステップＳ４０３は、ＣＰＵ１０２が温度検知手段にて本体内の温度データを検出してＲＡＭ１０４へ書き込み、ステップＳ４０４へ進む。
【００２８】
ステップＳ４０４は、ＣＰＵ１０２がＲＡＭ１０４に書き込まれた本体内の温度データと、予めＲＯＭ１０３に書き込まれた本体内の温度を下げるための第一の閾値とデータの大小を比較する。ＣＰＵ１０２は前記ＲＡＭ１０４に書き込まれた本体内の温度データが前記第一の閾値より小さい時はステップＳ４０３へ戻る。ＣＰＵ１０２は前記ＲＡＭ１０４に書き込まれた本体内の温度データが前記第一の閾値より大きい時はステップＳ４０５へ進む。
【００２９】
ステップＳ４０５は、ＣＰＵ１０２が送風制御手段にてファン１０９を間欠動作させて、ステップＳ４０６へ進む。
【００３０】
ステップＳ４０６は、ＣＰＵ１０２が温度検知手段にて本体内の温度データを検出してＲＡＭ１０４へ書き込み、ステップＳ４０７へ進む。
【００３１】
ステップＳ４０７は、ＣＰＵ１０２がＲＡＭ１０４に書き込まれた本体内の温度データと、予めＲＯＭ１０３に書き込まれた排気温度が不快に感じない温度になるように設定された第二の閾値とデータの大小を比較する。ＣＰＵ１０２は前記ＲＡＭ１０４に書き込まれた本体内の温度データが前記第二の閾値より大きい時はステップＳ４０６へ戻る。ＣＰＵ１０２は前記ＲＡＭ１０４に書き込まれた本体内の温度データが前記第二の閾値より小さい時はステップＳ４０８へ進む。
【００３２】
ステップＳ４０８は、ＣＰＵ１０２が送風制御手段にてファン１０９を連続動作させて、ステップＳ４０９へ進む。
【００３３】
ステップＳ４０９は、ＣＰＵ１０２が電源釦２００により電源ＯＦＦの命令があるか判断を行う。ＣＰＵ１０２は前記電源釦２００より電源ＯＦＦの命令がないと判断した場合、ステップＳ４０８に戻る。ＣＰＵ１０２は前記電源釦２００により電源ＯＦＦの命令があったと判断した場合、ステップＳ４１０へ進む。
【００３４】
複数のファンが搭載される場合、ステップＳ４０５の間欠動作にて、複数のファンを同時に動かさずに間欠動作を行うことで、複数のファンでも同様の効果を得ることができる。
【００３５】
以上のように本発明の実施形態によれば、ファン停止状態からファンを回転開始する時の高温の排気量を減らすことが可能となり、使用者へ高温の排気による不快感を低減することが可能となる。
【符号の説明】
【００３６】
１００  撮像装置本体、１０１  撮像部、１０２  ＣＰＵ、１０３  ＲＯＭ、
１０４  ＲＡＭ、１０５  温度検知部、１０６  表示部、１０７  記録部、
１０８  操作部、１０９  ファン、１１０  音声入力部、１１１  バッテリー、
２００  電源釦、２０１  シャッター釦、２０２  タッチパネル、２０３  吸気口、
２０４  排気口、３００  撮影レンズ、３０１  撮像素子、
３０２  撮像素子の温度検知部、３０３  基板、３０４  基板の温度検知部、
３０５  ダクト、３０６  熱伝導部材、Ｚ  撮像装置上下方向、
Ｗ  ダクト３０５を通る外部空気の方向
【図１】
2017126924.tif 000003
【図２】
2017126924.tif 000004
【図３】
2017126924.tif 000005
【図４】
2017126924.tif 000006